(57)【要約】【課題】重ねられている複数の媒体のいずれかに画像を書き込むことを可能にする。【解決手段】表示装置９は、照射される光に応じた画像を表示する複数の電子ペーパー１と、複数の電子ペーパー１の移動方向を制限し、これらの電子ペーパー１を重ねられた状態で保持する制限部材２１と、重ねられた複数の電子ペーパー１のうち、隣り合う２つの電子ペーパー１の間に差し込まれ、当該２つの電子ペーパー１のうちの一方に対し、画像を示す画像データに応じた光を照射する光照射板３と、複数の電子ペーパー１の重ねられる方向に移動可能で、光照射板３に接続する供給端子２２と、２つの電子ペーパー１の間に差し込まれた光照射板３に接続可能な位置へと、供給端子２２を移動させる移動部２３とを有する。【選択図】図２
2011123428.tif 000002
【特許請求の範囲】
【請求項１】
照射される光に応じた画像を表示する複数の表示手段の移動方向を制限し、当該表示手段を重ねられた状態で保持する保持手段と、
重ねられた複数の前記表示手段のうち、隣り合う２つの前記表示手段の間に差し込まれ、当該２つの表示手段のうちの一方に対して前記画像を示す画像データに応じた光を照射する光照射手段と、
前記複数の表示手段の重ねられる方向に移動可能で、前記光照射手段と接続する接続手段と、
前記接続手段が前記光照射手段に接続可能な位置へ当該接続手段を移動させる移動手段と
を有することを特徴とする記録装置。
【請求項２】
前記光照射手段が前記表示手段に前記光を照射するときに、当該表示手段に対して電圧を印加する電圧印加手段を有し、
前記表示手段は、前記電圧印加手段により電圧が印加されると、照射される光に応じた画像を表示する状態となる
ことを特徴とする請求項１に記載の記録装置。
【請求項３】
前記接続手段は、前記光照射手段に光を供給する光供給手段を有し、
前記光照射手段は、画像を示す画像データを取得する取得手段を有し、前記光供給手段から供給される光を、前記取得手段によって取得した前記画像データに応じて、前記一方の表示手段に対して透過または遮蔽する
ことを特徴とする請求項１に記載の記録装置。
【請求項４】
前記接続手段は、前記光照射手段に前記画像データを供給する画像データ供給手段を有し、
前記光照射手段は、光源を有し、前記光源から発せられた光を、前記画像データ供給手段から供給された前記画像データに応じて、前記一方の表示手段に対して透過または遮蔽する
ことを特徴とする請求項１に記載の記録装置。
【請求項５】
前記移動手段は、
前記光照射手段が前記２つの表示手段の間に差し込まれたときに、当該光照射手段及び当該２つの前記表示手段の間に形成される空間を検知し、
検知した当該空間の位置に対応する位置であって、前記光照射手段に前記接続手段が接続可能な位置に前記接続手段を移動させる
ことを特徴とする請求項１から４のいずれかに記載の記録装置。
【請求項６】
前記移動手段は、
前記複数の表示手段の重ねられる方向に並べられ、それぞれが光を感知する複数の感知手段を有し、
前記複数の感知手段のそれぞれが感知した光の各光量を閾値と比較することにより、前記空間を検知する
ことを特徴とする請求項５に記載の記録装置。
【請求項７】
前記光照射手段が前記２つの前記表示手段の間に差し込まれるときに前記保持手段に生じる撓みの量を検知する検知手段を有し、
前記移動手段は、前記検知手段により検知された撓みの量に基づいて、前記光照射手段に前記接続手段が接続可能な位置を特定し、特定した位置に前記接続手段を移動させる
ことを特徴とする請求項１から６のいずれかに記載の記録装置。
【請求項８】
請求項１から７のいずれかに記載の記録装置と、
前記記録装置により保持され光を照射されると、当該光に応じた画像を表示する表示手段と
を有することを特徴とする表示装置。
【請求項９】
照射される光に応じた画像を表示する複数の表示手段の移動方向を制限し、当該表示手段を重ねられた状態で保持する保持手段と、
前記複数の表示手段の重ねられる方向に移動可能で、重ねられた複数の前記表示手段のうち、隣り合う２つの前記表示手段の間に差し込まれ、当該２つの表示手段のうちの一方に対して前記画像を示す画像データに応じた光を照射する光照射手段と接続する接続手段と、
前記接続手段が前記光照射手段に接続可能な位置へ当該接続手段を移動させる移動手段と
を有することを特徴とする保持装置。
【請求項１０】
前記保持手段は、複数の前記表示手段をそれぞれ着脱可能なように保持する
ことを特徴とする請求項９に記載の保持装置。
【発明の詳細な説明】
【技術分野】
【０００１】
本発明は、記録装置、表示装置及び保持装置に関する。
【背景技術】
【０００２】
電子ペーパーなどの表示媒体に光などを用いて画像を書き込んで、その表示媒体に画像を表示させる技術が知られている。例えば、特許文献１には、画像を書き込む装置本体に複数枚の表示体を着脱することが可能となっているものが開示されている。また、特許文献２には、複数の表示記録媒体の一辺を回動自在に保持する保持部を備え、この表示記録媒体を１枚ずつめくり、書き込みを行うブック型表示記録媒体が開示されている。また、特許文献３には、表示媒体の表裏面の一方が書込位置に向いたまま表示媒体を書込位置に搬送し、表示媒体に擦り傷等が生じないようにする画像書込装置が開示されている。また、特許文献４には、フレキシブルな表示媒体であって、表示駆動部及び表示部を備えた電子ペーパーと当該電子ペーパーを複数ページ装着することができる本体とからなる電子ペーパファイルが開示されている。
【先行技術文献】
【特許文献】
【０００３】
【特許文献１】特開２０００−３０５０６５号公報
【特許文献２】特開２００５−３２１７３９号公報
【特許文献３】特開２００５−３００７７７号公報
【特許文献４】特開２００２−２８７６９０号公報
【発明の概要】
【発明が解決しようとする課題】
【０００４】
本発明の目的は、重ねられている複数の媒体のいずれかに画像を書き込むことを可能にすることにある。
【課題を解決するための手段】
【０００５】
上述した課題を解決するため、本願の請求項１に係る記録装置は、照射される光に応じた画像を表示する複数の表示手段の移動方向を制限し、当該表示手段を重ねられた状態で保持する保持手段と、重ねられた複数の前記表示手段のうち、隣り合う２つの前記表示手段の間に差し込まれ、当該２つの表示手段のうちの一方に対して前記画像を示す画像データに応じた光を照射する光照射手段と、前記複数の表示手段の重ねられる方向に移動可能で、前記光照射手段と接続する接続手段と、前記接続手段が前記光照射手段に接続可能な位置へ当該接続手段を移動させる移動手段とを有する。
【０００６】
本願の請求項２に係る記録装置は、請求項１に記載の態様において、前記光照射手段が前記表示手段に前記光を照射するときに、当該表示手段に対して電圧を印加する電圧印加手段を有し、前記表示手段は、前記電圧印加手段により電圧が印加されると、照射される光に応じた画像を表示する状態となることを特徴とする。
【０００７】
本願の請求項３に係る記録装置は、請求項１に記載の態様において、前記接続手段は、前記光照射手段に光を供給する光供給手段を有し、前記光照射手段は、画像を示す画像データを取得する取得手段を有し、前記光供給手段から供給される光を、前記取得手段によって取得した前記画像データに応じて、前記一方の表示手段に対して透過または遮蔽することを特徴とする。
【０００８】
本願の請求項４に係る記録装置は、請求項１に記載の態様において、前記接続手段は、前記光照射手段に前記画像データを供給する画像データ供給手段を有し、前記光照射手段は、光源を有し、前記光源から発せられた光を、前記画像データ供給手段から供給された前記画像データに応じて、前記一方の表示手段に対して透過または遮蔽することを特徴とする。
【０００９】
本願の請求項５に係る記録装置は、請求項１から４のいずれかに記載の態様において、前記移動手段は、前記光照射手段が前記２つの表示手段の間に差し込まれたときに、当該光照射手段及び当該２つの前記表示手段の間に形成される空間を検知し、検知した当該空間の位置に対応する位置であって、前記光照射手段に前記接続手段が接続可能な位置に前記接続手段を移動させることを特徴とする。
【００１０】
本願の請求項６に係る記録装置は、請求項５に記載の態様において、前記移動手段は、前記複数の表示手段の重ねられる方向に並べられ、それぞれが光を感知する複数の感知手段を有し、前記複数の感知手段のそれぞれが感知した光の各光量を閾値と比較することにより、前記空間を検知することを特徴とする。
【００１１】
本願の請求項７に係る記録装置は、請求項１から請求項６のいずれかに記載の態様において、前記光照射手段が前記２つの前記表示手段の間に差し込まれるときに前記保持手段に生じる撓みの量を検知する検知手段を有し、前記移動手段は、前記検知手段により検知された撓みの量に基づいて、前記光照射手段に前記接続手段が接続可能な位置を特定し、特定した位置に前記接続手段を移動させることを特徴とする。
【００１２】
本願の請求項８に係る表示装置は、請求項１から７のいずれかに記載の記録装置と、前記記録装置により保持され光を照射されると、当該光に応じた画像を表示する表示手段とを有する。
【００１３】
本願の請求項９に係る保持装置は、照射される光に応じた画像を表示する複数の表示手段の移動方向を制限し、当該表示手段を重ねられた状態で保持する保持手段と、前記複数の表示手段の重ねられる方向に移動可能で、重ねられた複数の前記表示手段のうち、隣り合う２つの前記表示手段の間に差し込まれ、当該２つの表示手段のうちの一方に対して前記画像を示す画像データに応じた光を照射する光照射手段と接続する接続手段と、前記接続手段が前記光照射手段に接続可能な位置へ当該接続手段を移動させる移動手段とを有する。
【００１４】
本願の請求項１０に係る保持装置は、請求項９に記載の態様において、前記保持手段は、複数の前記表示手段をそれぞれ着脱可能なように保持することを特徴とする。
【発明の効果】
【００１５】
本願の請求項１に係る記録装置によれば、重ねられた状態で保持した複数の表示手段のいずれかに画像を書き込むことができる。
本願の請求項２に係る記録装置によれば、光照射手段が光を照射する表示手段が画像を表示する状態になるように、その表示手段に対して電圧を印加することができる。
本願の請求項３に係る記録装置によれば、光照射手段は光源を備える必要がない。
本願の請求項４に係る記録装置によれば、光照射手段は画像データを記憶する必要がない。
本願の請求項５に係る記録装置によれば、空間を検知する精度に応じて接続手段を移動させることができる。
本願の請求項６に係る記録装置によれば、接続手段を移動させる位置を光学的精度で検知することができる。
本願の請求項７に係る記録装置によれば、接続手段を移動させる位置を検知するために光を感知する必要がない。
本願の請求項８に係る表示装置によれば、重ねられた状態で保持した複数の表示手段のいずれかに画像を書き込むことができる。
本願の請求項９に係る保持装置によれば、重ねられた状態で保持した複数の表示手段のいずれかに、光照射手段によって画像を書き込ませることができる。
本願の請求項１０に係る保持装置によれば、保持している表示手段を取り外して、単体で利用することができる。
【図面の簡単な説明】
【００１６】
【図１】本実施形態に係る表示装置の全体構成を示す斜視図である。
【図２】表示装置の主要部の分解斜視図である。
【図３】電子ペーパーを説明するための図である。
【図４】ホルダーをＹ（−）方向からＹ（＋）方向に向かって見たときの図である。
【図５】図１における矢視V−Vから表示装置を見た図である。
【図６】ホルダーの移動部を説明するための図である。
【図７】供給端子の構造を説明する図である。
【図８】光照射板の構造を説明する図である。
【図９】変形例１における空間検知部を説明する図である。
【図１０】変形例２における移動部を説明するための図である。
【図１１】図１０における領域XIを拡大した図である。
【図１２】移動部を、図１１の矢線XIIa−XIIa、XIIb−XIIbから見た断面図である。
【発明を実施するための形態】
【００１７】
以下、本発明による実施形態を説明する。
１．表示装置の全体構成
図１は、本実施形態に係る表示装置９の全体構成を示す斜視図である。同図に示すように、表示装置９は、照射される光に応じた画像をそれぞれ表示する表示手段の一例である複数の電子ペーパー１と、複数の電子ペーパー１を重ねられた状態で保持する保持装置の一例であるホルダー２と、重ねられた複数の電子ペーパー１のうち、隣り合う２つの電子ペーパー１の間に差し込まれ、そのうちの一方に対し、画像を示す画像データに応じた光を照射する光照射手段の一例である光照射板３とを備える。ホルダー２と光照射板３とは、重ねられた状態で保持した複数の表示手段の移動方向を制限し、そのうちのいずれかに光を照射して画像を表示させる記録装置の一例である。したがって、表示装置９は、複数の電子ペーパー１と上述の記録装置とを有する表示装置の一例である。
表示装置９は、図１におけるＹ（＋）方向が上に、Ｘ（＋）方向が右に、Ｚ（＋）方向が手前になるようにして利用者に観察される。すなわち、表示装置９は、図１におけるＺ（＋）方向からＺ（−）方向に観察される。以下では、図１における左右方向の右方向をＸ（＋）・左方向をＸ（−）、高さ方向の上方向をＹ（＋）・下方向をＹ（−）、奥行き方向の手前方向をＺ（＋）・奥方向をＺ（−）として説明する。
【００１８】
図２は、表示装置９の主要部の分解斜視図である。ホルダー２は、底板２０と、制限部材２１と、供給端子２２と、移動部２３と、天井板２４とを備える。底板２０は、矩形の板であり、奥行き方向の最も奥方向（Ｚ（−））に配置される。底板２０の手前方向の面のうち左側（Ｘ（−））には、円柱状の２つの制限部材２１と四角柱状の２つの移動部２３とが設けられており、それぞれ手前方向（Ｚ（＋））に向かって延びている。２つの制限部材２１のそれぞれは、電子ペーパー１に設けられた２つの孔１１のそれぞれに通される。電子ペーパー１の孔１１を通した制限部材２１の最も手前方向の面は、天井板２４の奥方向の面に設けられた凹部２４１に嵌る。これにより、ホルダー２は電子ペーパー１を保持する。電子ペーパー１が、ホルダー２に複数枚保持される場合には、各制限部材２１は、複数の電子ペーパー１の各孔１１を通って天井板２４の凹部２４１に嵌め込まれる。このとき、複数の電子ペーパー１は、奥方向（Ｚ（−））から手前方向（Ｚ（＋））に向かって重ねられた状態で制限部材２１により綴じられ、それぞれＸ軸方向およびＹ軸方向への移動を制限される。ただし、各電子ペーパー１に設けられた孔１１が制限部材２１の側面に沿ってその長手方向に摺動可能なため、各電子ペーパー１のＺ軸方向への移動は可能である。すなわち、制限部材２１は、複数の表示手段の移動方向を制限し、当該表示手段を重ねられた状態で保持する保持手段の一例である。以下、奥行き方向（手前方向であるＺ（＋）方向、および奥方向であるＺ（−）の両方）を、電子ペーパー１の重ねられる方向ともいう。
【００１９】
供給端子２２は、２つの移動部２３に挟まれて配置されており、各移動部２３によって両側から支持されている。各移動部２３は、図示しない制御部による制御の下、同期して電子ペーパー１の重ねられる方向、すなわち奥行き方向の手前方向（Ｚ（＋））と、その反対方向である奥方向（Ｚ（−））のいずれにも供給端子２２を移動可能に構成されている。供給端子２２は、光照射板３と接続する。すなわち、供給端子２２は、複数の表示手段の重ねられる方向に移動可能で、光照射手段と接続する接続手段の一例である。また、供給端子２２は、光照射板３に光を供給する光供給手段の一例である導光部材２２２と、光照射板３に画像データを供給する画像データ供給手段の一例である導電端子２２１とを有する。導光部材２２２と導電端子２２１の詳細は後述する。
【００２０】
光照射板３は、接続端子３１を備えている。光照射板３は、接続端子３１を左方向（Ｘ（−））に向けて、重ねられた複数の電子ペーパー１のうち、隣り合う２つの電子ペーパー１の間に右方向（Ｘ（＋））から差し込まれる。そして、接続端子３１は、供給端子２２に突当り、さらに差し込まれることにより供給端子２２に装着される。光照射板３は、供給端子２２に装着された接続端子３１を介して、供給端子２２から供給される光と画像データを受け取る。光照射板３は、供給端子２２の導光部材２２２から供給された光と、導電端子２２１から供給された画像データから、画像データが示す画像に応じた光を生成し、その手前方向の面に載っている電子ペーパー１に対して、その光を照射する。これにより電子ペーパー１には、画像データが示す画像が表示される。ここで、光照射板３の手前方向の面に載っている電子ペーパー１は、光照射板３が差し込まれた２つの電子ペーパー１のうちの一方である。
【００２１】
２．電子ペーパーの構成
図３は、電子ペーパー１を説明するための図である。図３（ａ）には、利用者が観察する方向、すなわち、奥行き方向の手前方向（Ｚ（＋））から奥方向（Ｚ（−））へ向かう方向に、電子ペーパー１を観察した外観が示されている。電子ペーパー１の左側（Ｘ（−））には、基部１０が設けられており、基部１０の上下（Ｙ（＋）・Ｙ（−））には、には孔１１が１つずつ設けられている。基部１０の奥方向（Ｚ（−））の面には２つの電極１２が設けられている。なお、電極１２の数は２つに限られず、１つでもよいし３つ以上でもよい。
【００２２】
基部１０の右側（Ｘ（＋））には、表示体１３が設けられている。表示体１３は、記憶性液晶であるコレステリック液晶を有している。コレステリック液晶は双安定の物質であり、電圧等によりエネルギーが与えられていない状態でも光の反射率が異なる２つの配向状態のいずれかを維持する。コレステリック液晶分子の安定な配向には、プレーナ配向とフォーカルコニック配向とがある。プレーナ配向において、コレステリック液晶分子は、特定の波長帯の光を反射（ブラッグ反射）する。フォーカルコニック配向において、コレステリック液晶分子は、光を透過する。表示体１３は、配向状態に応じた反射率の違いを利用して表示を行うものである。
【００２３】
図３（ｂ）には、Ｙ（−）方向からＹ（＋）方向に向かって観察したときの電子ペーパー１が示されている。面１３ａは、表示体１３の手前側の面、すなわち、おもて面（第１の面）である。利用者は、面１３ａから画像を見る。面１３ｂは、表示体１３の下面、すなわち、裏面（第２の面）である。光照射板３は、面１３ｂ側から画像の消去や書き込みを行う。具体的には、表示体１３は、光が照射されると電気抵抗が低下する感光層と、印加される電圧に応じて分子の配向状態が変化するコレステリック液晶分子を含んだ液晶層と、感光層と液晶層を挟む２枚の透明電極とを備えている。
【００２４】
透明電極は、ＩＴＯ（Indium Tin Oxide：酸化インジウムすず）等、光を透過する（すなわち、光の透過率が予め定められた閾値よりも高い）材料で作られている。そして、透明電極は、基部１０に設けられた電極１２と電気的に接続されており、後述するように光照射板３によって電極１２に電圧がかけられたときに、この電圧に応じた電圧がかかるように構成されている。透明電極の間に印加された電圧は、これらに挟まれる感光層と液晶層にかかる。
【００２５】
電極１２が光照射板３から電圧を印加されていないときには、透明電極の間には電圧が印加されないため、面１３ｂ側から光が照射されても液晶層に含まれるコレステリック液晶分子の配向状態に変化は生じ難い。つまり、電子ペーパー１は、書き込まれた画像を保持するために電力を受ける必要が無い。
【００２６】
光照射板３によって電極１２に電圧がかけられているとき、面１３ｂ側から光が照射されていない部分においては、感光層の抵抗が液晶層に比較して高いため、透明電極の間に印加された電圧はほとんど感光層にかかり、液晶層にはほとんど電圧がかからない。したがって、この部分の液晶層に含まれるコレステリック液晶分子の配向状態に変化は生じ難い。
【００２７】
一方、光照射板３によって電極１２に電圧がかけられているとき、面１３ｂ側から光が照射されている部分においては、感光層が低抵抗化するので液晶層にかかる電圧が上昇する。この部分の液晶層に含まれるコレステリック液晶分子は、印加される電圧に応じて分子の配向状態が変化する。
【００２８】
こうして、光照射と電圧印加を組み合わせることにより、電子ペーパー１において、特定の領域における液晶の配向を制御すること、すなわち、画像を記録することができる。すなわち、電子ペーパー１は、電圧が印加されると、照射される光に応じた画像を表示する状態となる表示手段の一例である。形成されるこの画像は面１３ａ側から利用者によって観察される。なお、液晶層は、コレステリック液晶等のホスト液晶に添加するカイラル剤の重量比を調節することによって、選択反射する光の波長帯を様々に設定される。コレステリック液晶がプレーナ配向の状態で、それぞれ異なる波長帯の光を選択反射するように設計された複数の液晶層を重ね合わせ、感光し得る波長帯が異なる感光層を、例えば各液晶層に対向して設けることにより、電子ペーパー１には複数の色を含む画像（例えばカラー画像）が書き込まれる。
【００２９】
３．移動部の構成
図４は、ホルダー２をＹ（−）方向からＹ（＋）方向に向かって見たときの図である。同図に示すように、各電子ペーパー１に設けられた孔１１に制限部材２１が通されることで、複数の電子ペーパー１がホルダー２の底板２０に重ねて置かれると、各電子ペーパー１の左端は移動部２３に密着する。
【００３０】
図５は、図１における矢視V−Vから表示装置９を見た図である。以下、同図を用いて、光照射板３を２つの電子ペーパー１の間に差し込んだときの表示装置９の状態を説明する。ホルダー２に重ねた状態で保持された複数の電子ペーパー１のうち、隣り合う２つの電子ペーパー１である電子ペーパー１ａと電子ペーパー１ｂとの間に、矢線Ｄ５１方向（Ｘ（−））に光照射板３が差し込まれると、光照射板３に乗り上げた電子ペーパー１ａおよびその上に載せられている電子ペーパー１は矢線Ｄ５２方向に持ち上げられ、電子ペーパー１ａと電子ペーパー１ｂとの間に空間が生じる。
【００３１】
図６は、ホルダー２の移動部２３を説明するための図である。図６（ａ）には、移動部２３の内部構成の概略が示されている。同図に示すように、移動部２３は、右側（Ｘ（＋））に空間検知部２３１、左側（Ｘ（−））に駆動部２３２を備える。
空間検知部２３１は、光照射板３が２つの電子ペーパー１の間に差し込まれたときに、光照射板３及び２つの電子ペーパー１の間に形成される空間を検知する。具体的には、空間検知部２３１は、図示しない制御部と、電子ペーパー１の重ねられる方向に並べられた複数のフォトセンサＰｈを備える。フォトセンサＰｈは、同図における右側（Ｘ（＋））に光を照射し、その光の反射光を感知する反射型フォトセンサである。
【００３２】
電子ペーパー１の重ねられる方向においてフォトセンサＰｈが面している位置に、電子ペーパー１があると、このフォトセンサＰｈは電子ペーパー１によって反射される反射光を感知する。一方、電子ペーパー１の重ねられる方向においてフォトセンサＰｈが面している位置に、電子ペーパー１がなく空間が空いていると、このフォトセンサＰｈはこの空間によって反射される反射光を感知する。電子ペーパー１によって反射される反射光の光量Ｖ１は、空間によって反射される反射光の光量Ｖｓとは異なっており、例えば、光量Ｖ１は予め定めた閾値よりも高く、光量Ｖｓはこの閾値以下である。したがって、フォトセンサＰｈの感知した光の光量と予め定めた閾値とを制御部が比較することによって、フォトセンサＰｈがどちらの反射光を感知したかが判定される。
【００３３】
フォトセンサＰｈが光を感知する側に空間がある場合は２通りある。すなわち、重ねられた電子ペーパー１のうち、少なくとも１つの電子ペーパー１の奥側に生じた空間の場合と、重ねられた全ての電子ペーパー１の最も手前側に生じている空間の場合とである。前者の空間を後者の空間と区別して「空間Ｓｐ」とよぶ。したがって、空間Ｓｐは、隣り合う２つの電子ペーパー１の間に生じた空間、および重ねられた全ての電子ペーパー１の最も奥側に生じる空間を含む。
【００３４】
図６（ａ）に示すように、光ｂｍ１を照射するフォトセンサＰｈは、感知した光の光量と閾値とを比較することにより、空間に面していると制御部に判定される。また、光ｂｍ３を照射するフォトセンサＰｈについても、空間に面していると制御部に判定される。一方、光ｂｍ２や光ｂｍ４を照射するフォトセンサＰｈは、空間に面していないと制御部に判定される。
【００３５】
制御部は、空間に面していると判定されたフォトセンサＰｈのうち、その１つ手前側（Ｚ（＋））にあるフォトセンサＰｈが空間に面していないと判定されるものを特定する。このようなフォトセンサＰｈは、光ｂｍ３を照射するものに限られるので、制御部はこのフォトセンサＰｈを特定する。そして、制御部は、特定したフォトセンサＰｈの位置を、空間Ｓｐの位置と判断し、この空間Ｓｐの位置に対応する位置に供給端子２２を移動させる旨の制御信号を駆動部２３２に対して発する。
【００３６】
図６（ｂ）に示すように、駆動部２３２は、上下に１つずつ設けられた２つのロールＲｏと、２つのロールＲｏに架け渡されたベルトＢｔとを備え、また、図示しないモーターを備える。ベルトＢｔの外周面には、突起Ｈａが設けられている。供給端子２２の上下方向（Ｙ（＋）・Ｙ（−））に設けられた鉤部材が、この突起Ｈａに掛けられることにより、供給端子２２は移動部２３に支持される。２つのロールＲｏのうち、少なくとも一方は上記モーターによって駆動させられるドライブロールである。なおこのモーターは、ドライブロールを介してベルトＢｔを駆動するものであればどの様なものであってもよく、例えば超音波リニアモーターなどである。フォトセンサＰｈが空間Ｓｐを検知すると、ドライブロールは、空間検知部２３１の制御部から上記の制御信号を受けてベルトＢｔを駆動させ、供給端子２２を空間Ｓｐの位置に対応する位置Ｌｏに移動させる。位置Ｌｏは、供給端子２２が、空間Ｓｐの位置に差し込まれた光照射板３の接続端子３１を装着可能な位置であるから、供給端子２２が光照射板３に光と画像データを供給可能な位置である。すなわち、移動部２３は、電子ペーパー１の重ねられる方向に並べられ、それぞれが光を感知する感知手段の一例であるフォトセンサＰｈを複数個、有している。そして、移動部２３は、複数のフォトセンサＰｈのそれぞれが感知した光の各光量を閾値と比較することにより、光照射手段が２つの表示手段の間に差し込まれたときに、光照射手段及び２つの前記表示手段の間に形成される空間を検知し、検知した当該空間の位置に対応する位置であって、光照射手段に供給手段が光又は画像データを供給可能な位置に供給手段を移動させる。
【００３７】
４．供給端子の構成
図７は、供給端子２２の構造を説明する図である。図７（ａ）には、供給端子２２をＹ（−）方向からＹ（＋）方向に向かって見たとき様子が示されている。図７（ｂ）には、図７（ａ）の矢視VIIb−VIIbから供給端子２２を見たときの断面が示されている。供給端子２２は、奥行き方向（Ｚ（＋）・Ｚ（−））と、上下方向（Ｙ（＋）・Ｙ（−））を囲い、Ｘ（＋）方向に延びる金属板で形成されたケーシング２２０と、そのケーシング２２０の内側で下寄りの位置に、Ｘ（＋）方向に延びる四角柱状の導光部材２２２が設けられている。導光部材２２２の上側の面には例えば樹脂で形成された基板が貼り付けられており、この基板上には導電性のある金属板を折り曲げて形成された導電端子２２１が複数（図７（ｂ）において７つ）設けられている。導光部材２２２の内部は、その長手方向（Ｘ軸方向）に光を透過させる材料で形成されている。導光部材２２２のうち、Ｘ（−）側には光源Ｌｇが備えられており、光源Ｌｇから発せられた光は導光部材２２２の長手方向に沿って、導光部材２２２の発光面２２２ａから矢線Ｄ６方向（Ｘ（＋））に導かれる。
【００３８】
５．光照射板の構成
図８は、光照射板３の構造を説明する図である。図８（ａ）には、光照射板３を手前方向（Ｚ（＋））から見た様子が、図８（ｂ）には、光照射板３を図７（ａ）の矢視VIIIb−VIIIbから光照射板３を見たときの断面が示されている。なお、光照射板３は、供給端子２２に対して着脱可能な部材であり、供給端子２２から脱離した状態では方向が定まらないため、同図において、光照射板３の位置や方向を、供給端子２２に装着された状態におけるＸＹＺ座標によって説明する。
【００３９】
光照射板３の接続端子３１には、奥行き方向（Ｚ（＋）・Ｚ（−））と、上下方向（Ｙ（＋）・Ｙ（−））を囲い、Ｘ（−）方向に延びる金属板で形成されたケーシング３１０と、そのケーシング３１０の内側で上寄りの位置に、Ｘ（−）方向に延びる板材３１１が設けられている。板材３１１の下側の面には導電性のある金属板で形成された導電端子３１２が複数設けられている。上記の図７（ｂ）に示すように、供給端子２２に接続端子３１を挿入すると、供給端子２２のケーシング２２０と導光部材２２２との間に接続端子３１のケーシング３１０が嵌り込み、導光部材２２２の上側に貼り付けられた基板と、板材３１１の下側の面とが対面する。導光部材２２２の上側の面に設けられた導電端子２２１は、折り曲げられて基板よりも上方向に突出しており、供給端子２２に接続端子３１が挿入される際に、板材３１１の下側の面に接触し、この面によって下側に押される。接続端子３１が供給端子２２に完全に差し込まれると、７つの導電端子２２１の位置に、各導電端子３１２が配置され、互いに接触する。この接触により、供給端子２２は、導電端子２２１および導電端子３１２を介して光照射板３に画像データと電力を供給する。
【００４０】
図８（ｂ）に示すように、光照射板３の接続端子３１の右側（Ｘ（＋））には、２層構造の光照射板本体が設けられている。光照射板本体は手前側（Ｚ（＋））の層が画像形成層３０であり、奥側（Ｚ（−））の層が導光層３２である。画像形成層３０は、左側（Ｘ（−））に基部３００を有しており、基部３００の手前側（Ｚ（＋））の面には２つの電圧印加端子３０１が設けられている。基部３００は、供給端子２２から供給された電力により駆動する。そして、電圧印加端子３０１は、光照射板３に載せられた電子ペーパー１の電極１２に接触すると、その電極１２を介してその電子ペーパー１に電圧を印加する。これにより、電子ペーパー１の表示体１３に備えられた透明電極は液晶層と感光層に対して、電極１２が受け取った電圧に応じた電圧を印加し、電子ペーパー１は光書込みが可能な状態となる。すなわち、電圧印加端子３０１は、光照射手段が表示手段に光を照射するときに、その表示手段に対して電圧を印加する電圧印加手段の一例である。
【００４１】
画像形成層３０のうち、基部３００の右側（Ｘ（＋））には、液晶板３０２が設けられている。液晶板３０２は、マトリクス状に配列した画素電極と、この画素電極に接続されたＴＦＴ（Thin Film Transistor：薄膜トランジスタ）のようなスイッチング素子などが設けられた素子基板と、画素電極に対向する対向電極が形成された対向基板と、これら両基板との間に充填されたネマチック液晶とを備える。
【００４２】
基部３００に備えられた制御部（図示せず）は、供給端子２２から供給された画像データに応じて画素電極に印加する画像信号を生成する。制御部が、走査線を介して素子基板に走査信号を印加すると、スイッチング素子が導通状態となる。この導通状態の際に、制御部が、素子基板のデータ線を介して画素電極に、画像データに応じた電圧の画像信号を印加すると、当該画素電極および対向電極の間の液晶層に画像信号の電圧に応じた電荷が蓄積される。このように、各スイッチング素子を駆動させ、蓄積させる電荷量を階調に応じて制御すると、画素毎に液晶の配向状態が変化するので、各画素を光が透過するときの透過率が変化し、液晶板３０２の奥側（Ｚ（−））から手前側（Ｚ（＋））に向けて照射される光を、液晶板３０２の各画素がその透過率に応じて遮光する。
【００４３】
光照射板３の導光層３２には、受光面３２ａと発光面３２ｂが設けられている。受光面３２ａは、導光層３２の最も左側（Ｘ（−））の端面であり、光を受け入れて内部に導く。発光面３２ｂは、導光層３２の手前側（Ｚ（＋））の面であり、反射を繰り返しつつ導光層３２の内部を透過する光が照射されるように加工されている。導光層３２はアクリル板などによって形成される。接続端子３１が供給端子２２に完全に差し込まれると、導光部材２２２の発光面２２２ａ（図７参照）と受光面３２ａとが対面接触し、供給端子２２の光源Ｌｇから発せられた光は導光部材２２２の発光面２２２ａから照射され、受光面３２ａにより導光層３２の内部に導かれる。導光層３２の内部に導かれた光は導光層３２の内壁において表面反射を繰り返しながら矢線Ｄ８１方向に進み、導光層３２の内部全体に広がる。広がったこの光のうち矢線Ｄ８２方向に向かう光が、発光面３２ｂから照射される。発光面３２ｂから照射される光は、液晶板３０２にとってのいわゆるバックライトとなり、液晶板３０２の手前側（Ｚ（＋））の面からは、この面に対面する電子ペーパー１の面１３ｂに向けて画像データに応じた光が照射される。
【００４４】
以上のようにして、光照射板３は、重ねられた複数の電子ペーパー１のうち、隣り合う２つの電子ペーパー１の間に差し込まれ、当該２つの電子ペーパー１のうちの一方に対し、画像を示す画像データに応じた光を照射して、画像データに応じた画像をその電子ペーパー１に書き込む。これにより、重ねられた状態の複数の電子ペーパー１のうち、利用者に選択されたいずれか１つの電子ペーパー１に対して、その電子ペーパー１をホルダー２から取り外すことなく画像が書き込まれる。利用者は、複数枚が重ねられて冊子状となっている電子ペーパー１に対して下敷きを差し込む感覚で光照射板３を差し込み、画像を書き込むので、このような構成を備えない場合に比較して利用者の操作効率は向上する。
【００４５】
６．変形例
以上が実施形態の説明であるが、この実施形態の内容は以下のように変形し得る。また、以下の変形例を組み合わせてもよい。
（１）変形例１
実施形態において、空間検知部２３１は、電子ペーパー１の重ねられる方向に並べられた複数のフォトセンサＰｈを備え、フォトセンサＰｈが空間Ｓｐによって反射される反射光を感知することで、空間を検知していたが、フォトセンサは反射型のフォトセンサに限られず、例えば、外部から漏れる光（以下、外光という）を感知するだけのフォトセンサであってもよい。また、複数のセンサを電子ペーパー１の重ねられる方向に並べるのではなく、一つのセンサを予め定められた速度で電子ペーパー１の重ねられる方向に走査して、信号が得られたタイミングから空間を検知してもよい。また、空間を検知する手段はフォトセンサに限られない。例えば、音波や超音波などを照射して、この反射を検知し、反射波の強度を閾値と比較することで空間の有無を検知してもよい。また、電子ペーパー１から受ける力を検知してもよい。
【００４６】
図９は、この変形例における空間検知部２３１を説明する図である。制限部材２１は円柱状であり、その側面には感圧フィルムが巻きつけられている。この感圧フィルムとは、表面から押し付ける圧力を感知するものであり、例えば、２層のシート状の電極と、これら電極に挟まれ、圧力が加わっていない状態では絶縁体として機能する絶縁層を備える。感圧フィルムに圧力が加えられると、圧力が加えられた部分において絶縁層が撓み、当該部分が薄くなって２層の電極が通電する。これにより圧力を受けた位置が感知される。感圧フィルムが圧力を受けた位置を感知すると、図示しない制御部にはその位置を示す情報が伝えられる。図９に示すように、矢線Ｄ９方向に図示しない光照射板３が差し込まれると、光照射板３よりも手前側（Ｚ（＋））に重ねられた電子ペーパー１は、光照射板３が差し込まれている右側（Ｘ（＋））がより手前方向（Ｚ（＋））に持ち上がるように傾く。これにより、制限部材２１は、傾いた電子ペーパー１の孔１１によって、矢線Ｆ１や矢線Ｆ２などの方向から押圧される。制限部材２１の表面に巻きつけられた感圧フィルムは、この孔１１からの押圧力を感知し、図示しない制御部は押圧された位置に応じた位置に対応する位置に供給端子２２を移動させる旨の制御信号を駆動部２３２に対して発する。すなわち、この場合、感圧フィルムは、空間検知部２３１として機能する。この場合、移動部２３は、光照射手段が制限部材２１の表面の感圧フィルムは２つの表示手段の間に差し込まれたときに、この光照射手段に接続可能な位置に接続手段を移動させる移動手段の一例である。
なお、感圧フィルムではなく制限部材２１そのものを空間検知部２３１として機能させてもよい。例えば、制限部材２１は、側面から押されると曲がるような可撓性のある材質で形成されており、内部に撓み量を検知するセンサを備えていてもよい。このセンサによって曲がった位置が検知されることにより、その位置に対応する位置に供給端子２２を移動させる旨の制御信号を発してもよい。
【００４７】
（２）変形例２
実施形態および変形例１において、移動部２３の駆動部２３２は、空間検知部２３１が検知した空間の位置に応じた位置に供給端子２２を移動させる旨の制御信号を受けて駆動していたが、駆動部２３２は、機械的な機構によって、空間の位置に応じた位置に供給端子２２を移動させてもよい。図１０は、この変形例における移動部２３を説明するための図であり、表示装置９を手前側（Ｚ（＋））から見た図である。図１０に示すように、供給端子２２は、２つの移動部２３に挟まれて配置されている。
【００４８】
図１１は、図１０における領域XIを拡大した図である。図１２は、移動部２３を、図１１の矢線XIIa−XIIaと、矢線XIIb−XIIbとからそれぞれ見た断面図である。
電子ペーパー１の左端（Ｘ（−））には、カム１５が設けられている。カム１５は、２つの軸座がＹ軸方向に並べられており、この軸座で支えられる軸を中心として回転可能に設けられている。カム１５は、Ｙ軸方向から観察すると、例えば楕円状であり、電子ペーパー１に光照射板３が差し込まれていない状態においては、長径がＸ軸方向に、短径がＺ軸方向になる。すなわち、この状態においては、カム１５は、Ｘ軸方向の幅が最大になるように置かれる。なお、このカム１５の形状はどのようなものでもよく、要するに軸を中心とした回転によってＸ軸方向に占める幅が変化すればよい。
【００４９】
ピニオン１４は、カム１５と同軸となるように設けられた歯車であり、図１２における反時計回りに回転すると、９０度まではカム１５を伴って回転させる。しかし、カム１５とピニオン１４はラチェット構造で結合しているため、ピニオン１４の９０度を超える回転は空回りし、カム１５を動かさない。ラック２３３は、移動部２３の筐体内側に固定されており、右方向（Ｘ（＋））に歯（図示せず）を備えており、この歯がピニオン１４と噛み合うことで、ピニオン１４は、電子ペーパー１の重ねられる方向の位置に応じて回転する。
【００５０】
被支持部材２２３は、供給端子２２のケーシング２２０の上側面と下側面からそれぞれ上方向（Ｙ（＋））および下方向（Ｙ（−））に延びた被支持部材である。図１２（ｂ）に示すように、被支持部材２２３は奥方向（Ｚ（−））に向かって細くなる“くさび状”の部材であり、Ｘ軸方向の幅が最大になるように置かれたカム１５のうち、最も手前側（Ｚ（＋））にあるカム１５によって手前方向（Ｚ（＋））に支持されている。被支持部材２２３は、ゴムやばね、重力などの力を受けて奥方向（Ｚ（−））に付勢力を受けているため、被支持部材２２３を支持するカム１５と密着する。また、壁部２３４は、移動部２３の筐体内側に固定されており、被支持部材２２３が左方向（Ｘ（−））に押される力に抗して被支持部材２２３を押し返す。そして、被支持部材２２３は、移動部２３の筐体内壁によってＹ軸方向の動きを制限されているため、これにより、被支持部材２２３は、後述するカム１５の変化に応じ、Ｚ軸方向に沿って移動する。
【００５１】
重ねられた複数の電子ペーパー１のうちの隣り合う２つの電子ペーパー１の間に、光照射板３が差し込まれると、この２つの電子ペーパー１の間に空間Ｓｐが生じる。そして空間Ｓｐよりも手前側（Ｚ（＋））の電子ペーパー１に設けられたカム１５は、ピニオン１４の回転に伴って９０度回転するため、長径がＺ軸方向に、短径がＸ軸方向になる。すなわち、この状態においてカム１５は、Ｘ軸方向の幅が最小になるように回転する。すると、このカム１５によって支持されていた被支持部材２２３は、カム１５と壁部２３４との隙間が拡がるため、付勢力によって図１２（ｂ）に示す矢線Ｄａ方向に移動し、空間Ｓｐの直ぐ下の電子ペーパー１に設けられたカム１５の位置で停止する。被支持部材２２３に伴って供給端子２２が移動させられるため、移動部２３は、２つの電子ペーパー１の間に差し込まれた光照射板３に供給端子２２が光又は画像データを供給可能な位置へと、当該供給端子２２を移動させる移動手段として機能する。
【００５２】
なお、電子ペーパー１に差し込まれていた光照射板３が右方向（Ｘ（＋））に抜き取られると、光照射板３に乗り上げていた電子ペーパー１は、奥方向（Ｚ（−））に移動し、空間Ｓｐは消滅する。このとき、光照射板３に乗り上げていた電子ペーパー１に設けられたカム１５は、奥側（Ｚ（−））にあるものから順に、図１２（ｂ）における時計回りに回転し、被支持部材２２３の傾斜面２２３ｓに当たって被支持部材２２３を手前側（Ｚ（＋））に押し上げる。被支持部材２２３に伴って供給端子２２が移動させられるため、光照射板３が差し込まれていない状態にあっては、供給端子２２は、全ての電子ペーパー１のうち、最も手前側にある電子ペーパー１のさらに手前側に移動する。
【００５３】
（３）変形例３
供給端子２２は、光照射板３に光と画像データを供給していたが、光又は画像データのいずれか一方を供給してもよい。
例えば、光照射板３の接触端子３１が供給端子２２に装着されると、供給端子２２は光照射板３に光だけを供給し、画像データを供給しない構成としてもよい。この場合、光照射板３は、例えば、無線通信などにより、画像を示す画像データを記憶している装置からその画像データを取得し、取得したこの画像データに応じて、上述した液晶板３０２の各画素に相当する液晶の配向状態を変化させてもよい。
また、画像データの取得手段は、上述の例に限られない。例えば、光照射板３に、電力の供給が無くても画像データを記憶する記憶部を設けてもよい。そして、光照射板３は、画像データを記憶しているサーバー装置などから予め接触端子３１を介して、画像データを取得し、この記憶部に記憶してもよい。また、光照射板３の接触端子３１とは異なる部分、例えば、右側（Ｘ（＋））などに画像データを有線通信により取得する端子を設け、画像データを記憶している装置からその画像データを取得するようにしてもよい。
この場合、供給端子２２が有する導光部材２２２は、光照射板３に光を供給する光供給手段の一例であり、光照射板３は、画像を示す画像データを取得する取得手段を有し、導光部材２２２から供給される光を、取得手段によって取得した画像データに応じて、２つの表示手段のうちの一方に対して透過または遮蔽する光照射手段の一例である。
【００５４】
また、光照射板３の接触端子３１が供給端子２２に装着されると、供給端子２２は光照射板３に画像データだけを供給し、光を供給しない構成としてもよい。この場合、光照射板３の導光層３２は、例えば、発光面３２ｂを発光させる光源を備えており、発光面３２ｂから照射されたこの光は、液晶層３０２によって、供給端子２２から供給された画像データに応じて透過または遮蔽される。画像データに応じて透過または遮蔽された光は、電子ペーパー１の面１３ｂに照射され、これにより、電子ペーパー１の面１３ａには、画像データに応じた画像が表示される。
この場合、供給端子２２が有する導電端子２２１は、光照射板３に画像を示す画像データを供給する画像データ供給手段の一例であり、光照射板３は、光源を有し、その光源から発せられた光を、導電端子２２１から供給された画像データに応じて、２つの表示手段のうちの一方に対して透過または遮蔽する光照射手段の一例である。
【００５５】
また、光照射板３は、供給端子２２から光を供給されず、且つ光源を有していなくても発光面３２ｂを発光させる構成であればよい。例えば、光照射板３のＸ（＋）方向の端には、外光を収集する集光部が設けられており、光照射板３は、集光部が収集したこの外光を光照射板３の内部に導けばよい。
【００５６】
なお、実施形態において、供給端子２２から光照射板３に電力が供給されていたが、電力は供給されなくてもよい。この場合、光照射板３が電池を持っていてもよい。この電池は、例えば光照射板３に対して着脱可能な一次電池であってもよいし、蓄電が可能な二次電池であってもよい。また、光照射板３は、ホルダー２、電子ペーパー１とは別の外部電源から電力を供給されてもよい。この場合、光照射板３と外部の電源とは、導線等、有線によって接続されていてもよいし、磁界結合などを利用した無線による電力の供給機構で電気的に接続されていてもよい。
【００５７】
（４）変形例４
実施形態において、光照射板３は、その手前方向の面に載っている電子ペーパー１に対し、画像データが示す画像に応じた光を照射していたが、奥方向の面に対面している電子ペーパー１に対し、上記の光を照射してもよい。要するに、光照射板３は、重ねられた複数の表示手段のうち、隣り合う２つの表示手段の間に差し込まれ、当該２つの表示手段のうちの一方に対し、画像を示す画像データに応じた光を照射する光照射手段であればよい。
【００５８】
（５）変形例５
実施形態において、電子ペーパー１は、孔１１を備えており、電子ペーパー１の重ねられる方向に延びる制限部材２１が通されていたが、端部に連続していない孔ではなく、切り欠きを備えていてもよい。ここでいう「切り欠き」とは、電子ペーパー１の端部から内部へ向けて切り取られた部分をいう。この切り欠きに制限部材２１を通すことで、電子ペーパー１は重ねて綴じられる。また、電子ペーパー１は、この切り欠きが連続している端部とは反対側の方向へ移動させることで、制限部材２１から取り外される。この場合、天井板２４や他の電子ペーパー１を制限部材２１から取り外す必要はない。
また、実施形態において制限部材２１は円柱状であったが、他の形状であってもよく、例えば、四角柱状であってもよい。また、制限部材２１の延びる方向は直線方向以外であってもよいので、制限部材２１は、例えばリング状であってもよい。
また、複数の電子ペーパー１を重ねた状態でその移動方向を制限する制限手段は、制限部材２１に限られない。例えば、各電子ペーパー１の左側（Ｘ（−））の端を嵌め込む溝を一方の面に備えた板状部材により、複数の電子ペーパー１を重ねた状態で綴じてもよい。この場合、光照射板３が、隣り合う２つの電子ペーパー１の間に差し込まれると、その電子ペーパー１が嵌め込まれている各溝どうしの間隔が開くように板状部材が構成されていればよく、例えば、板状部材は電子ペーパー１の重ねられる方向に伸縮自在なゴムなどの材質で形成されていてもよい。
【００５９】
（６）変形例６
実施形態において、接続端子３１は、供給端子２２に突当り、さらに差し込まれることにより供給端子２２に装着されたが、供給端子２２は、装着された接続端子３１を保持し、接続状態を維持する機構を備えていてもよい。例えば、接続端子３１には、差し込まれる方向および抜き取られる方向のいずれでもない方向に延びる溝が設けられており、供給端子２２には、バネなどの弾性部材によってこの溝の方向に向かう付勢力が与えられている突起を備えていてもよい。この構成において、接続端子３１が差し込まれると、供給端子２２に設けられた突起が接続端子３１の溝に入り込み、接続端子３１は供給端子２２に保持される。そして、供給端子２２に装着された状態で、さらに接続端子３１を差し込み方向に押すと、供給端子２２に設けられた突起が接続端子３１の溝から外れるように構成されていてもよい。これにより、装着状態の接続端子３１を差し込み方向に押すだけで、接続端子３１は供給端子２２から脱離する。要するに、いわゆるメモリーカードなどに用いられている「プッシュイン／プッシュアウト」の装着機構を備えていてもよい。なお、この機構の態様としては、特開２００６−１００２１０号公報や、特開２００６−１０７９０２号公報、および特開２００６−１０７９０２号公報などに記載されているようなものが挙げられる。
【００６０】
（７）変形例７
実施形態において、光照射板３の基部３００は、ホルダー２の供給端子２２から供給された電力により駆動し、基部３００の電圧印加端子３０１は、光照射板３に載せられた電子ペーパー１の電極１２に接触すると、その電極１２を介してその電子ペーパー１に電圧を印加していたが、電子ペーパー１は、光照射板３の基部３００に設けられた電圧印加端子３０１以外から電圧を印加されてもよい。例えば、ホルダー２の供給端子２２から、電子ペーパー１へ電圧が印加されてもよい。この場合、供給端子２２は電圧印加端子を備えており、供給端子２２に光照射板３の接続端子３１が差し込まれると、この電圧印加端子は光照射板３に載せられた電子ペーパー１の電極１２に接触して電子ペーパー１へ電圧を印加すればよい。なお、この電力供給端子は、供給端子２２とは別の構成としてホルダー２に備えられていてもよい。この場合、移動部２３または移動部２３とは別に設けられた移動手段によって移動可能に構成されていてもよい。
【００６１】
また、制限部材２１が、複数の電圧印加端子を備えていてもよい。この場合、複数の電圧印加端子は、制限部材２１と電子ペーパー１とが接触する部分に、電子ペーパー１の重ねられる方向に沿って設けられていればよい。そして、複数の電圧印加端子は、それぞれ開閉スイッチを備えており、供給端子２２が移動部２３によって光照射板３に対応する位置に移動することにより、各開閉スイッチのうち、光照射板３に載せられた電子ペーパー１の位置に対応する位置に備えられた電圧印加端子に備えられた開閉スイッチのみが閉状態、すなわち電圧が供給される状態となり、それ以外の電圧印加端子は開状態、すなわち電圧が供給され難い状態になるように構成されていればよい。この開閉スイッチは、例えば、外力がない状態においてバネ等の弾性部材によって開状態が保たれており、供給端子２２に設けられた突起が突当ることにより閉状態になるように構成されていればよい。
【００６２】
なお、このようにホルダー２の電圧印加端子から直接、電子ペーパー１へ電圧が供給される場合において、その電力は、ホルダー２に備えられた電源から供給されてもよいが、供給端子２２を介して光照射板３に備えられた電源から供給されてもよい。
【００６３】
（８）変形例８
実施形態または変形例において、電子ペーパー１は、光照射板３またはホルダー２に備えられた電圧印加端子から電圧を印加されていたが、電子ペーパー１は外部から電圧を印加される構成でなくてもよい。例えば、電子ペーパー１は、リチウムイオン電池やキャパシタ等の電源を備えており、光照射板３に載せられると、この電源から各透明電極へ電圧がかけられる構成であってもよい。
【００６４】
（９）変形例９
実施形態において、電子ペーパー１は、電圧が印加されると、照射される光に応じた画像を表示する状態となり、光照射と電圧印加を組み合わせることにより、画像を記録していたが、画像が記録される媒体は電子ペーパー１に限られない。例えば、ジアゾ感光紙のほか、フォトクロミック材料等を用いた感光紙のように感光して化学反応が起きることで画像が記録される媒体であってもよい。この場合、これらの媒体は、光照射により画像が記録されるが電圧の印加は不要である。要するに、光照射板３により画像が記録される媒体は、照射される光に応じた画像を記録する媒体であればよく、また、この媒体として記録した画像を表示する表示手段を用いる場合には、照射される光に応じた画像を表示する複数の表示手段であればよい。
【００６５】
（１０）変形例１０
実施形態において、光照射板３は、液晶板３０２に向けて光を照射する導光層３２と、導光層３２から照射される光を、画像データに応じた透過率で画素毎に遮光する液晶板３０２とを有する構成であったが、光照射板３の構成はこれに限られない。光照射板３の構成は、例えば、有機エレクトロルミネッセンス（Organic Electro-Luminescence）ディスプレイやプラズマディスプレイなど、バックライトを遮光する構成ではなく、自ら発光する構成であってもよい。要するに、光照射板３は、重ねられた複数の電子ペーパー等の表示手段のうち、隣り合う２つの表示手段の間に差し込まれ、当該２つの表示手段のうちの一方に対して画像を示す画像データに応じた光を照射する光照射手段であればよい。
【符号の説明】
【００６６】
１…電子ペーパー、１０…基部、１１…孔、１２…電極、１３…表示体、１３ａ…面、１３ｂ…面、１４…ピニオン、１５…カム、２…ホルダー、２０…底板、２１…制限部材、２２…供給端子、２２０…ケーシング、２２１…導電端子、２２２…導光部材、２２２ａ…発光面、２２３…被支持部材、２３…移動部、２３１…空間検知部、２３２…駆動部、２３３…ラック、２３４…壁部、２４…天井板、２４１…凹部、３…光照射板、３０…画像形成層、３００…基部、３０１…電圧印加端子、３０２…液晶板、３１…接続端子、３１０…ケーシング、３１１…板材、３１２…導電端子、３２…導光層、３２ａ…受光面、３２ｂ…発光面、９…表示装置。
【図１】
2011123428.tif 000003
【図２】
2011123428.tif 000004
【図３】
2011123428.tif 000005
【図４】
2011123428.tif 000006
【図５】
2011123428.tif 000007
【図６】
2011123428.tif 000008
【図７】
2011123428.tif 000009
【図８】
2011123428.tif 000010
【図９】
2011123428.tif 000011
【図１０】
2011123428.tif 000012
【図１１】
2011123428.tif 000013
【図１２】
2011123428.tif 000014